(57)【要約】      （修正有）【課題】封筒の中身が透けることなく、軽量且つデザイン性及び実用性の高い封筒を提供する。【解決手段】外袋２と、外袋２よりやや小さく形成され挿入される一枚式の内紙３とを備える。内紙３の上辺側に第１の折り返し片５の内側に沿うように第２の折り返し片９を設けると共に、第２の折り返し片９の正面側と反対側の面に文字11ａ、写真11ｂ或いはさし絵11ｃからなる表示部11を印刷により設ける。内紙３により光を遮り収容物が透けて見えるようなことはない。さらに、開封時において第２の折り返し片９があらわれてあたかも２重封筒のように見えて豪華さを演出することができる。また被収容物を見る前に表示部11によりメッセージを伝えることができる。【選択図】図２
0003102207.tif 000002
【実用新案登録請求の範囲】
【請求項１】
正面が矩形をなした偏平な袋本体の前記正面側の上辺に第１の折縁を介して第１の折り返し片を設けると共に、前記袋本体の裏面の前記上辺側に被収容物を出し入れする開封口を形成した外袋と、前記正面よりやや小さく形成され該正面の内側に沿うように挿入される一枚式の内紙とを備え、前記内紙の前記上辺側に前記第１の折り返し片の内側に沿うように第２の折り返し片を設けると共に、前記第２の折り返し片の前記正面側と反対側の面に文字、数字、写真或いはさし絵からなる表示部を印刷により設けたことを特徴とする封筒。
【請求項２】
前記内紙の下縁を前記袋本体の内側の下縁のやや上方に配置するように前記袋本体と前記内紙とを接続すると共に、該接続する箇所を前記第１の折り返し片と前記第２の折り返し片のみに設けることを特徴とする請求項１記載の封筒。
【請求項３】
前記開封口を前記裏面に切り欠き状に形成したことを特徴とする請求項１又は２記載の封筒。
【請求項４】
前記第１の折り返し片の裏面の縁に糊代を形成すると共に、該糊代のやや外側に前記第２の折り返し片の上縁を設けることを特徴とする請求項１〜３のいずれか１項に記載の封筒。
【請求項５】
前記表示部を多色印刷により設けることを特徴とする請求項１〜４のいずれか１項に記載の封筒。
【考案の詳細な説明】
【技術分野】
【０００１】
本考案は、結婚式・披露宴等の招待状、或いは一般に手紙、文書及びそれに関連する各種書類を含めた物品を封入する封筒に関するものである。
【背景技術】
【０００２】
従来より、結婚式や披露宴等の招待状に使用される封筒や、吉事を祝う慶事等に使用される封筒は、外封筒と内封筒とに分けて手紙、文書等を封入する二重袋方式や、外封筒の中に直接手紙、文書等を封入する一重袋方式が一般に用いられている。
【特許文献１】実用新案登録第３０７４３３３号公報
【考案の開示】
【考案が解決しようとする課題】
【０００３】
しかしながら、結婚式や披露宴等の招待状等に使用される封筒で、外側封筒と内側封筒とを重ね合わせる二重袋方式では、製品面の観点では、内外の封筒が重なっている為、開封した際に受け取った者に豪華な印象を与えることができるが、封筒内の中身となる手紙や文書等を封入した場合には封筒全体に厚みが出てしまい、封筒自体が重くなるばかりでなく、見た目も悪くなる。逆に一重袋方式では、開封した際に、質素な印象を与えてしまうので、デザイン性に乏しくなってしまう。また、封筒の中身となる手紙、文書が透けてしまうことが多く、封筒を外側から見た時の美観を損ねてしまう等の課題が生じていた。
【０００４】
そこで、本考案は上記のような従来技術の問題点を鑑みて、封筒の中身となる手紙、文書等が透けるようなこともなく、しかも軽くてデザイン性及び実用性の高い封筒を提供することを目的とする。
【課題を解決するための手段】
【０００５】
請求項１に記載の封筒は、正面が矩形をなした偏平な袋本体の前記正面側の上辺に第１の折縁を介して第１の折り返し片を設けると共に、前記袋本体の裏面の前記上辺側に被収容物を出し入れする開封口を形成した外袋と、前記正面よりやや小さく形成され該正面の内側に沿うように挿入される一枚式の内紙とを備え、前記内紙の前記上辺側に前記第１の折り返し片の内側に沿うように第２の折り返し片を設けると共に、前記第２の折り返し片の前記正面側と反対側の面に文字、数字、写真或いはさし絵からなる表示部を印刷により設けたものである。
【０００６】
また、請求項２に記載の封筒は、前記内紙の下縁を前記袋本体の内側の下縁のやや上方に配置するように前記袋本体と前記内紙とを接続すると共に、該接続する箇所を前記第１の折り返し片と前記第２の折り返し片のみに設けるものである。
【０００７】
さらに、請求項３に記載の封筒は、前記開封口を前記裏面に切り欠き状に形成したものである。
【０００８】
また、請求項４に記載の封筒は、前記第１の折り返し片の裏面の縁に糊代を形成すると共に、該糊代のやや外側に前記第２の折り返し片の上縁を設けるものである。
【０００９】
さらに、請求項５に記載の封筒は、前記表示部を多色印刷により設けるものである。
【考案の効果】
【００１０】
本考案の請求項１に記載の封筒は、内紙によって封筒の中身となる手紙、文書等が透けるようなこともなく、しかも軽くて、受け取った者に豪華な印象を与えることが出来る封筒を提供できる。
【００１１】
本考案の請求項２に記載の封筒は、第１の折り返し片を折りたたむと第２の折り返し片も折りたたまれると共に、この折りたたみ時に内紙が下方へ移動可能になっているので、折りたたみ時における内紙の変形を防止することができる。
【００１２】
本考案の請求項３に記載の封筒は、封筒の開封時に内紙が切り欠き状の開封口よりあらわれやすく、デザイン的に優れたものとなる。
【００１３】
本考案の請求項４に記載の封筒は、内紙が糊代に触れないので、開封時において内紙を容易に取り出すことができる。
【００１４】
本考案の請求項５に記載の封筒は、表示部を多色印刷により設けることで、多色の表示部となるので、加飾性を高めることができる。
【考案を実施するための最良の形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１６】
図１〜４は実施例１を示しており、封筒１は、外袋２とこの外袋２に挿入する一枚式の内紙３とを備えている。外袋２は、正面２ａが矩形をなした偏平な袋本体２ｂの正面２ａ側の上辺に第１の折縁４を介して第１の折り返し片５を設け、さらに前記外袋２の裏面２ｃの前記上辺側に開封口６を形成しており、この開封口６は裏面２ｃをやや切り欠いて形成している。そして結婚式、披露宴などの案内状などの二点鎖線で示した例えば結婚披露宴の招待状などの被収容物７を開封口６より出し入れするようになっている。前記内紙３はパルプからなる紙自体からなるものの他に、薄い合成樹脂シートのような紙状のものを含み、そして前記内紙３は前記正面２ａよりやや小さく形成された一枚式のものであって、前記正面２ａの内側に沿うように挿入されている。そして内紙３の前記上辺側には第２の折縁８を介して前記折り返し片５の内側に沿うように第２の折り返し片９を設け、さらに前記第１の折り返し片５の裏面の縁５ａの内側に配置した糊代５ｂのやや下方、すなわち外側に前記第２の折り返し片９の上縁９ａを設けている。尚、第２の折縁８は予め形成される折り目により形成されるものであるが、この第２の折縁８は予め形成しておかなくともよい。
【００１７】
さらに、内紙３の幅ａは外袋２の内幅ｂとほぼ同じ長さに形成されており、また外袋２と内紙３は接続されている。この接続は前記内紙３の下縁３ａを前記袋本体２ｂの内側の下縁２ｄ、すなわち袋本体２ｂの底の下縁２ｄのやや上方に配置するようにして、第１の折り返し片５と前記第２の折り返し片９のみを貼り合せ部10として接続している。
【００１８】
また、第２の折り返し片９の前記正面２ａ側と反対側の面、すなわち裏面２ｃ側に「御出席下さい」等の文字11ａ、式場等の写真11ｂ或いは花等のさし絵11ｃからなる表示部11を多色印刷により設けている。尚、表示部11は数字でもよく、これら文字11ａ、写真11ｂ、さし絵11ｃ或いは数字のうち少なくとも１種類があればよい。図中符号12は住所、氏名などの差出人表示部である。
【００１９】
次に前記構成についてその作用を説明する。予め外袋２に内紙３が挿入されており、そして開封口６より被収容物７を挿入した後に、まず第２の折縁８を介して第２の折り返し片９を谷折りして被収容物７を挟むようにする。次に第１の折縁４を介して第１の折り返し片５を谷折りして開封口６を封ずるものである。尚、開封口６を封ずるときには糊代５ｂに図示しない接着剤を塗布したり、或いは接着シールなどを用いて封ずる。
【００２０】
一方、受け取り人側は開封時に第１の折り返し片５を開くと切り欠き状の開封口６より袋本体２ｂとは内紙３があらわれて美観を感ずる。次に第２の折縁８を介して第２の折り返し片９を開くと、まず表示部11があらわれて、次に被収容物７があらわれるようになり、そして被収容物７を開封口６より取り出すものである。
【００２１】
以上のように前記実施例においては、請求項１に対応して、外袋２と、外袋２の正面２ａよりやや小さく形成され該正面２ａの内側に沿うように挿入される一枚式の内紙３とを備えたことにより、内紙３により光を遮り収容物７が透けて見えるようなことはない。さらに、内紙３の上辺側に第１の折り返し片５の内側に沿うように第２の折り返し片９を設けると共に、前記第２の折り返し片９の前記正面２ａ側と反対側の面に文字11ａ、写真11ｂ或いはさし絵11ｃからなる表示部11を印刷により設けたことにより、開封時において前記第２の折り返し片９があらわれてあたかも２重封筒のように見えて豪華さを演出することができると共に、被収容物７を見る前に表示部11によりメッセージを伝えることができる。また封筒１自体の軽量化や省資源化も図れる。
【００２２】
また、請求項２に対応して前記内紙３の下縁３ａを前記袋本体２ｂの内側の下縁２ｄのやや上方に配置するように前記袋本体２ｂと前記内紙３とを接続すると共に、該接続する箇所を前記第１の折り返し片５と前記第２の折り返し片９のみに貼り合せ部10を介して設けるようにすることにより、第１の折り返し片５を折りたたむと第２の折り返し片９も折りたたまれると共に、この折りたたみ時に内紙３が下方へ移動したとしても、内紙３がそのまま下方に移動するだけなので変形することはなく、しかも下縁２ｄと下縁３ａとの間に隙間があるので、下縁３ａ側も変形することはない。
【００２３】
また、請求項３に対応して前記開封口６を前記裏面２ｃに切り欠き状に形成したことにより、開封時に第２の折り返し片９等の内紙３があらわれやすくなり、豪華さをいっそう演出することができる。
【００２４】
さらに、請求項４に対応して前記第１の折り返し片９の裏面の上縁５ａに糊代５ｂを形成すると共に、該糊代５ｂのやや外側に前記第２の折り返し片９の上縁９ａを設けることにより、内紙３が糊代5ｂに触れないので、開封時において内紙３を容易に取り出すことができる。
【００２５】
また、請求項５に対応して文字11ａ、写真11ｂ或いはさし絵11ｃ等からなる表示部11を多色印刷部（カラー印刷部）により設け、多色の表示部11となるので、加飾性を高めることができる。
【産業上の利用可能性】
【００２６】
以上、本考案に係る封筒について添付図面を参照して説明してきたが、本考案は前記実施例に限定されるものではなく、本考案の思想の範囲内で種々の変形実施が可能である。
【図面の簡単な説明】
【００２７】
【図１】本考案の実施例１を示す正面図である。
【図２】本考案の実施例１を示す分解状態の背面図である。
【図３】本考案の実施例１を示す展開状態の背面図である。
【図４】本考案の実施例１を示す閉じた状態の背面図である。
【符号の説明】
【００２８】
１  封筒
２  外袋
２ａ  正面
２ｂ  袋本体
２ｃ  裏面
２ｄ  下縁
３  内紙
３ａ  下縁
４  第１の折縁
５  第１の折り返し片
５ａ  上縁
５ｂ  糊代
６  開封口
９  第２の折り返し片
９ａ  上縁
10  貼り合せ部
11  表示部
【図１】
0003102207.tif 000003
【図２】
0003102207.tif 000004
【図３】
0003102207.tif 000005
【図４】
0003102207.tif 000006